(57)【要約】【課題】光学装置の大型化を抑制し、また、一の伸縮率を有する材料で構成可能であり、しかも、レンズモジュール部を用いることが可能な光学装置を提供する。【解決手段】光学装置１の周囲温度が変化したとき、レンズモジュール部５で焦点移動が生じても、ホルダ部２が、この焦点移動を打ち消すことが可能な第１伸縮率で伸縮可能に構成されているので、焦点がイメージャ９１上からはずれることがない。また、ホルダ２に取り付けられたバレル３も光学装置１の周囲温度が変化したとき光軸に沿って収縮するため、レンズモジュール部５が伸縮しても、バレル３内でレンズ３０ａ、３０ｂが破損することはない。【選択図】  図２
2015022127.tif 000002
【特許請求の範囲】
【請求項１】
対象物を撮像するための撮像光をイメージャ(９１)に取り込む光学装置(１)であって、
二枚以上のレンズ(３０ａ，３０ｂ，４０ａ，４０ｂ)を組み合わせて構成され、前記撮像光を前記レンズを介して取り込み、取り込んだ前記撮像光の焦点を前記イメージャ上に結ぶレンズモジュール部(５)と、
前記イメージャと前記レンズとを同一の光軸上に配置し、かつ、前記撮像光の焦点が前記イメージャ上に焦点を結ぶように前記イメージャから所定距離離れた位置に前記レンズモジュール部を支持する支持部(２、６)と、
を備え、
前記支持部は、
当該光学装置の周辺温度の変化に応じて前記光軸に沿った方向に伸縮する伸縮率が、当該光学装置の周辺温度の変化に応じて前記レンズモジュール部で生ずる前記光軸に沿った前記焦点の移動（以下「焦点移動」という）を打ち消すことが可能な第１伸縮率となるよう形成されている
ことを特徴とする光学装置。
【請求項２】
請求項１に記載の光学装置において、
前記支持部は、
繊維状物(７０)が混入された温度補償材料(７)で構成され、
前記伸縮率が前記第１伸縮率となるよう、前記光軸に沿って前記繊維状物が配置される割合と前記光軸に対し垂直に前記繊維状物が配置される割合とを調整して形成される
ことを特徴とする光学装置。
【請求項３】
請求項１、２のいずれか１項に記載の光学装置において、
当該光学装置の周辺温度の変化に応じて前記光軸に沿った方向に伸縮する前記レンズモジュール部の少なくとも一部を収納するとともに、前記レンズモジュール部の前記伸縮率以上の第２伸縮率で伸縮するバレル(３)を備える
ことを特徴とする光学装置。
【請求項４】
請求項３に記載の光学装置において、
前記バレルに対し、前記支持部が取り付けられる側とは反対側に取り付けられるキャップ（４）を備え、
前記レンズモジュール部は、前記バレル内及び前記キャップ内に設置され、
前記キャップは、前記レンズモジュール部の少なくとも一部を収納可能な収納空間(４５)を有し、前記レンズモジュール部の前記伸縮率以上の第３伸縮率で伸縮する
ことを特徴とする光学装置。
【請求項５】
請求項１〜４のいずれか１項に記載の光学装置において、
前記支持部は、前記イメージャが実装される基板(９０)上に対して固定されることを特徴とする光学装置。
【請求項６】
請求項１，２のいずれか１項に記載の光学装置において、
前記支持部は、前記イメージャに対して固定されることを特徴とする光学装置。
【発明の詳細な説明】
【技術分野】
【０００１】
本発明は、対象物を撮像するための撮像光をイメージャに取り込む光学装置に関する。
【背景技術】
【０００２】
特許文献１に記載された光学装置は、外筒部（ホルダーと基台等）と、この外筒部の内側に同軸状に配置された内筒部（鏡筒）とを備え、外筒部は内筒部よりも軸方向に長い形状に形成され、外筒部の一方の端部と内筒部の一方の端部とが接続された構造となっている。
【０００３】
そして、イメージャは、内筒部が外筒部よりも短いことによって外筒部のみに包まれる空間に収納され、レンズは、内筒部内の他方の端部に、イメージャに対向するように固定されている。
【０００４】
ところで、車内用カメラの光学装置は、夏場など高温に晒されることが多い。
このため、光学装置が単に、イメージャから所定距離にレンズを支持する構成だと、光学装置が高温で膨張した場合にイメージャとレンズとの距離が離れてしまい、レンズの焦点がイメージャ上で結ばれなくなることがある。
【０００５】
そこで、特許文献１の光学装置では、上記のように構成し、高温に晒されたとき、外筒部がイメージャから離れる方向に変形しても、内筒部をイメージャに近づく方向に変形させることで、イメージャに対してレンズの位置がずれないように補償している。
【先行技術文献】
【特許文献】
【０００６】
【特許文献１】特開２００２−１４２６９号公報
【発明の概要】
【発明が解決しようとする課題】
【０００７】
しかし、上記光学装置は、レンズから見てイメージャが位置する側とは反対側のレンズから離れた位置で、内筒部を外筒部に固定する構造を有しているため、光学装置が大型化するという問題があった。
【０００８】
また、上記光学装置の外筒部は、内筒部を支持する支持物としての役割も担うため、内筒部よりも肉厚に構成せねばならず、そのため、上記光学装置では、熱に対する伸縮率が異なる２種類の材料を用意する必要があるという問題があった。
【０００９】
また、イメージャで撮像される画像の品質を上げようとすると、上述の光学装置のように一枚のレンズではなく複数枚のレンズを組み合わせたレンズモジュール部を用いることが好ましい。しかし、レンズモジュール部は、周辺温度が上がると光軸に沿って焦点が移動する性質を有しているため、上記の光学装置のように、イメージャに対して一枚のレンズを動かない構成とするだけでは、光学装置の周辺温度が上昇した場合、イメージャ上で焦点を結ばなくなってしまうという問題があった。
【００１０】
本発明は、光学装置の大型化を抑制し、また、一の伸縮率を有する材料で構成可能であり、しかも、レンズモジュール部を用いることが可能な光学装置を提供することを目的とする。
【課題を解決するための手段】
【００１１】
対象物を撮像するための撮像光をイメージャに取り込む本発明の光学装置は、二枚以上のレンズ(３０ａ，３０ｂ，４０ａ，４０ｂ)を組み合わせて構成され、撮像光をレンズを介して取り込み、取り込んだ撮像光の焦点をイメージャ上に結ぶレンズモジュール部(５)と、イメージャとレンズとを同一の光軸上に配置し、かつ、撮像光の焦点がイメージャ上に焦点を結ぶようにイメージャから所定距離離れた位置にレンズモジュール部を支持する支持部(２、６)と、を備えている。
【００１２】
そして、支持部は、光学装置の周辺温度の変化に応じて光軸に沿った方向に伸縮する伸縮率が、光学装置の周辺温度の変化に応じてレンズモジュール部で生ずる光軸に沿った焦点の移動（以下「焦点移動」という）を打ち消すことが可能な第１伸縮率となるよう形成されている。
【００１３】
このようにすると、支持部は、レンズモジュール部をイメージャから所定距離離れた位置に配置可能な大きさであればよく、従来の光学装置のように、レンズモジュール部からみてイメージャが位置する側とは反対側のレンズモジュール部から離れた位置に達するような大きさである必要がないので、光学装置の大型化を抑制できる。
【００１４】
また、このようにすると、光学装置の周辺温度が上昇してレンズモジュール部で焦点移動が生じても、支持部がこれを打ち消すように伸縮するので、レンズモジュール部を用いることができ、また、支持部は、支持部を形成したときに伸縮率が第１伸縮率となるような一の材料で構成することもできる。
【００１５】
尚、第１伸縮率は、光学装置の周辺温度が上下するのに合わせて、支持部が光軸に沿って伸縮する長さの割合である。
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１６】
【図１】本実施形態の光学装置の側面図である。
【図２】本実施形態の光学装置の断面図で、光学装置の光軸を通る面で切断した断面図である。（ａ）は低温時、（ｂ）は高温時の光学装置である。
【図３】レンズモジュール部の焦点移動の原理を説明するための模式図であり、（ａ）は低温時、（ｂ）は高温時の様子を示している。
【図４】ホルダ部の製造方法を説明するための模式図であり、（ａ）は合成樹脂、（ｂ）は射出成型の方法を示すものである。
【図５】他の実施形態の光学装置を側面から見た模式図で、（ａ）は低温時、（ｂ）は高温時の光学装置である。
【発明を実施するための形態】
【００１７】
以下に本発明の実施形態を図面と共に説明する。
本実施形態の光学装置１は、車両の前方監視用のカメラで用いられるもので、前方監視の対象となる対象物を撮像するための撮像光をイメージャに取り込む装置である。
【００１８】
（外観）
このカメラは、図１に示すように、ＣＣＤ素子等からなる後述するイメージャが実装された基板９０を備えており、本実施形態の光学装置１は、この基板９０のうちイメージャが実装される側の面上に固定されている。
【００１９】
この光学装置１は、ホルダ部２と、このホルダ部２に取り付けられるバレル３と、このバレル３に取り付けられるキャップ４と、レンズモジュール部５とを備えている。
ホルダ部２は、径が大きい大径筒部２０と、径が小さい小径筒部２１とを有しており、これら大径筒部２０及び小径筒部２１は、それらの中心軸が同一軸上に位置し、軸方向に並べて配置されて段差を形成する形状に形成されている。
【００２０】
バレル３は、円筒形状に形成されており、キャップ４は、軸方向の一方側の外部表面が先細り形状に形成された円筒状に形成され、レンズモジュール部５は、これらバレル３及びキャップ４内に収納されている。
（内部構成）
以下、各構成について、図２を用いて詳細に説明する。
【００２１】
レンズモジュール部５は、図２（ａ）に示すように、バレル３及びキャップ４に収納された４枚のレンズ３０ａ、３０ｂ、４０ａ、４０ｂ及びスペーサ６ａ〜６ｃを組み合わせて構成され、前方監視の対象となる対象物を撮像するための撮像光をこれらレンズ３０ａ、３０ｂ、４０ａ、４０ｂを介して取り込み、取り込んだ撮像光の焦点をイメージャ９１上に結ぶものである。
【００２２】
次に、ホルダ部２は、レンズモジュール部５を構成するレンズ３０ａ、３０ｂ、４０ａ、４０ｂ及びイメージャ９１が同一の光軸上に配置され、かつ、撮像光の焦点がイメージャ９１上に焦点を結ぶようにイメージャ９１から所定距離離れた位置に、バレル３を介してレンズモジュール部５を支持するものである。
【００２３】
このホルダ部２は、イメージャ９１の光軸と、ホルダ部２の中心軸（大径筒部２０及び小径筒部２１の中心軸に同じ）、すなわち光学装置１として想定される光軸とが一致するように、大径筒部２０が基板９０上に固定される。
【００２４】
また、このホルダ部２の小径筒部２１の内壁面には、小径筒部２１の中心軸回りに図示しないネジ山が形成されている。
尚、以下の説明では、イメージャ９１の光軸に沿った方向であって、イメージャ９１側から小径筒部２１側に向かう方向を前方、小径筒部２１側からイメージャ９１側に向かう方向を後方と呼ぶ。
【００２５】
次に、バレル３は、ホルダ部２の小径筒部２１に対し同軸状に螺入可能な大きさの円筒形状に形成されており、後方側の外周面上には、図示しないネジ山が形成され、また、前方側の外周面上にも、図示しないネジ山が形成されている。
【００２６】
このバレル３は、後方側を小径筒部２１に挿入し、小径筒部２１のネジ山とバレル３のネジ山とが当接する位置まで挿入したとき軸周りに回転させると、小径筒部２１に螺入され、小径筒部２１に対して同軸状に取り付けられる。
【００２７】
また、このバレル３は、その内部に、固定環３９と、レンズモジュール部５を構成するレンズ３０ａ、レンズ３０ｂ、スペーサ６ａ及びスペーサ６ｂとが備えられている。
このうち固定環３９は筒状に形成されており、バレル３内の後端部に配置され、バレル３に対し同軸状に固定される。
【００２８】
また、スペーサ６ａ及びスペーサ６ｂは環状に形成されており、バレル３に対して同軸状に収納される。
そして、このバレル３内には、レンズ３０ａ等が、固定環３９から前方側に向かって、レンズ３０ａ、スペーサ６ａ、レンズ３０ｂ、スペーサ６ｂの順に配置される。
【００２９】
このとき、レンズ３０ａ及びレンズ３０ｂは、それらの光軸と、バレル３の中心軸とが一致するようにバレル３内に収納される。
次に、キャップ４は、円筒状に形成され、軸方向の後方側の内周面に、バレル３の前方側の端部を挿入可能なスペースが形成されている。このバレル３を挿入可能なスペースを形成する部分の内周面には図示しないネジ山が形成されている。このネジ山は、ホルダ部２の小径筒部２１に形成されたネジ山と同一方向にねじ切りされている。
【００３０】
このキャップ４のネジ山が形成されているスペースにバレル３の前方側の端部を挿入すると、バレル３に設けられたネジ山とキャップ４に設けられたネジ山とがまず当接する。そしてこのとき、バレル３を中心軸回りに回転させると、バレル３の前方側の端部がキャップ４に螺入され、キャップ４がバレル３に取り付けられる。
【００３１】
また、キャップ４の軸方向の他端側（前方側）の外周面は、その軸方向の他端に向かって先細形状に形成されている。そして、この先細形状に形成された部分には、キャップ４の中心軸周りに等間隔に設けられた滑止用の複数の穴部４２が設けられている（図１参照）。
【００３２】
また、このキャップ４は、バレル３が挿入されるスペースに隣接する部分であって、軸方向の他端側（前方側）に、レンズモジュール部５を構成するレンズ４０ａ、スペーサ６ｃ、レンズ４０ｂを配置する収納空間４５が設けられている。この収納空間４５は、バレル３が挿入されるスペースよりも小径状に形成されており、この径の大きさの違いにより、バレル３が挿入されるスペースと、レンズ４０ａ等が設置される収納空間４５との境界部分には段差が形成されている。バレル３は、この段差部分に当接する位置までキャップ４に挿入することができる。
【００３３】
また、このキャップ４は、収納空間４５の前方側の端部であって、このスペースの前方側の縁部から軸中心に向かって立設されるとともに、軸方向の前方側の縁部に沿って円周状に形成された爪部４１を備えている。
【００３４】
そして、このキャップ４内には、レンズ４０ｂ及びレンズ４０ａ、スペーサ６ｃが、爪部４１から後方側に向かってレンズ４０ｂ、スペーサ６ｃ、レンズ４０ａの順に配置される。
【００３５】
（組み立て）
以上のように構成された光学装置１は、次のようにして組み立てられる。
まず、ホルダ部２が、基板９０に取り付けられる。
【００３６】
このとき、ホルダ部２は、大径筒部２０の開口部分の中心にイメージャ９１が配置されるように基板９０に固定される。
固定方法については、ネジ止め、接着その他、どのような方法でもよい。
【００３７】
次に、バレル３内に、レンズ３０ａ、３０ｂ及びスペーサ６ａ、６ｂを収納する。
このとき、レンズ３０ａ、３０ｂ及びスペーサ６ａ，６ｂは、固定環３９からレンズ３０ａ、スペーサ６ａ、レンズ３０ｂ、スペーサ６ｂの順に接着剤等で互いに接合される。
【００３８】
また、キャップ４内に、レンズ４０ａ、４０ｂ及びスペーサ６ｃを収納する。
このとき、レンズモジュール部５のうちバレル３内に収納されたレンズ４０ａ、４０ｂ及びスペーサ６ｃは、爪部４１からレンズ４０ｂ、スペーサ６ｃ、レンズ４０ａの順に接着剤等で互いに接合される。
【００３９】
そして、キャップ４をバレル３に取り付け、そのバレル３をホルダ部２に取り付ける。
このとき、キャップ４はバレル３に螺入され、バレル３はさらにホルダ部２に螺入されるが、これらに設けられた各ネジ山が同一方向にねじ切りされているので、キャップ４を取り付けたバレル３をホルダ部２にさらに取り付けるとき、キャップ４がバレル３から外れることがない。
【００４０】
（形成方法）
まず、ホルダ部２について説明する。
ところで、本実施形態の光学装置１を構成するレンズモジュール部５は、低温時は、最もイメージャ９１寄りのレンズ３０ａから近い位置に焦点を結び、高温時は、レンズ３０ａから遠い位置に焦点を結ぶ。
【００４１】
これは、図３の概念図に示すように、高温時は、低温時に比べ、スペーサαが光軸に沿った方向に伸縮するとともに、レンズβ１，β２が膨張し、また、レンズβ１，β２の物性、すなわち屈折率も変化して、レンズβ１（本実施形態ではイメージャ９１から最も近いレンズ３０ａに相当する）から遠い位置に焦点を結ぶからである。
【００４２】
そのため、本実施形態のホルダ部２は、光学装置１の周辺温度の変化に応じて光軸に沿った方向に伸縮する伸縮率が、光学装置１の周辺温度の変化に応じてレンズモジュール部５で生ずる光軸に沿った焦点の移動（以下「焦点移動」という）を打ち消すことが可能な第１伸縮率で伸縮するよう温度補償材料で形成されている。
【００４３】
具体的には、本実施形態のレンズモジュール部５は、焦点位置が温度に対してほぼ正比例して移動する（０．２５μｍ／℃）ので、ホルダ部２も、これに合わせて、第１伸縮率（０．２５μｍ／℃）で伸縮するよう形成されている。
【００４４】
温度補償材料は、図４（ａ）に示すようなグラスファイバ７０が含有された合成樹脂７である。
ホルダ部２は、この合成樹脂７を射出成型することによって形成されるが、射出成型の際、グラスファイバ７０の配向方向を調整することによって、第１伸縮率（０．２５μｍ／℃）で伸縮するように製造される。
【００４５】
グラスファイバが含有された合成樹脂７は、射出成型時の合成樹脂７の流れ方向に沿ってグラスファイバ７０が並ぶので、その流れ方向に垂直な方向に伸縮しやすく、流れ方向に沿った方向に伸縮し難い性質を有している。
【００４６】
そのため、ホルダ部２を射出成型する場合、図４（ｂ）に示すように、合成樹脂７を射出するゲート位置を変更すると合成樹脂７の流れ方が変わるので、成型後のホルダ部２の伸縮率が第１伸縮率となるよう、ゲート位置が調整される。
【００４７】
このとき、光軸に沿ってグラスファイバ７０が配置される割合と、光軸に対して垂直にグラスファイバ７０が配置される割合とが、第１伸縮率に対応した割合となるようにゲート位置が調整される。
【００４８】
尚、例えば、ホルダ部２を構成する合成樹脂７内に含まれるグラスファイバ７０の向きが光軸に沿った方向となる部分と、光軸に対して垂直となる部分の割合が半分ずつであった場合、ホルダ部２の伸縮率は、各部分の伸縮率の平均値となる。
【００４９】
次に、バレル３について説明する。
前述したように、レンズモジュール部５では焦点移動が発生するが、この焦点移動は、スペーサ６ａ，６ｂの光軸方向に沿った伸縮、レンズ３０ａ、３０ｂの膨張、物性の変化等によって発生する。
【００５０】
このうちスペーサ６ａ，６ｂの伸縮があると、レンズ３０ａ、３０ｂ間の間隔が変化するので、バレル３がこの変化を妨げる構成であると、レンズ３０ａ，３０ｂを破損する可能性もある。具体的には、固定環３９やキャップ４により、動きが規制される可能性がある。
【００５１】
そのため、バレル３は、光学装置１の周辺温度が変化したとき、レンズモジュール部５がスペーサ６ａ，６ｂの伸縮等によって光軸に沿って伸縮する伸縮率以上の第２伸縮率を有する伸縮材料で形成されている。
【００５２】
この伸縮材料としては、ホルダ部２と同様に、グラスファイバ７０が混入された合成樹脂７が用いられ、バレル３は、光軸に沿ってグラスファイバ７０が配置される割合と光軸に対して垂直にグラスファイバ７０が配置される割合とにより、光軸に沿った伸縮率が第２伸縮率となるよう調整されている。
【００５３】
次に、キャップ４について説明する。
上述したように、レンズモジュール部５は、光学装置１の周辺温度が変化すると、レンズ４０ａ，４０ｂが膨張し、スペーサ６ｃが伸縮する。
【００５４】
このうちスペーサ６ｃの伸縮があると、レンズ４０ａ，４０ｂ間の間隔が変化するので、キャップ４の収納空間４５の大きさが変化せず、レンズ４０ａ，４０ｂ間の間隔の変化を妨げると、レンズ４０ａ，４０ｂを破損する可能性もある。具体的には、爪部４１やバレル３により、動きが規制される可能性がある。
【００５５】
そのため、キャップ４は、光学装置１の周辺温度が変化したとき、レンズモジュール部５がスペーサ６ｃの伸縮等によって光軸に沿って伸縮する伸縮率以上の第３伸縮率を有する伸縮材料で形成されている。
【００５６】
この伸縮材料としては、ホルダ部２と同様に、グラスファイバ７０が混入された合成樹脂７が用いられ、キャップ４は、光軸に沿ってグラスファイバ７０が配置される割合と光軸に対して垂直にグラスファイバ７０が配置される割合とにより、光軸に沿った伸縮率が第３伸縮率となるよう調整されている。
【００５７】
（動き）
次に、光学装置１の周辺温度の変化に応じて光学装置１で発生する動きについて説明する。
【００５８】
上述したように、本実施形態の光学装置１は、図２（ａ）に示すように、低温時には、レンズモジュール部５によって取り込まれた撮像光の焦点がイメージャ９１上で焦点を結んでいる。
【００５９】
ところが、光学装置１の周囲の温度が高温になると、図２（ｂ）に示すように、レンズモジュール部５では、レンズ３０ａ、３０ｂ、４０ａ、４０ｂが膨張するとともに、物性すなわち屈折率も変化し、さらに、スペーサ６ａ、６ｂ、６ｃも光軸に沿って伸縮する。
【００６０】
すると、レンズモジュール部５の焦点は、イメージャ９１よりも後方側に移動する。
しかし、ホルダ部２が、このレンズモジュール部５の焦点移動を打ち消すことが可能な第１伸縮率を有し、レンズモジュール部５の焦点移動に合わせてホルダ部２が光軸に沿って伸縮し、レンズモジュール部５を前方側に移動させるので、焦点がイメージャ９１上からはずれることがない。
【００６１】
一方、光学装置１の周囲の温度が低温になると、図２（ａ）に示すように、レンズ３０ａ、３０ｂ、４０ａ、４０ｂが収縮するとともに、物性すなわち屈折率も変化し、さらに、スペーサ６ａ、６ｂ、６ｃも光軸に沿って縮むので、レンズモジュール部５の焦点は、イメージャ９１よりも前方側に移動する。
【００６２】
しかし、ホルダ部２が、レンズモジュール部５の焦点移動に合わせて光軸に沿って縮み、レンズモジュール部５を後方側に移動させるので、焦点がイメージャ９１上からはずれることがない。
【００６３】
（効果）
以上説明した光学装置１は、ホルダ部２が、レンズモジュール部５をイメージャ９１から所定距離離れた位置に配置可能な大きさであればよく、従来の光学装置のように、レンズモジュール部５からみてイメージャ９１が位置する側とは反対側のレンズモジュール部５から離れた位置に達するような大きさである必要がないので、光学装置１の大型化を抑制できる。
【００６４】
また、本実施形態の光学装置１は、光学装置１の周辺温度が上昇してレンズモジュール部５で焦点移動が生じても、ホルダ部２がこれを打ち消すように伸縮する構成となっているので、レンズモジュール部５を用いることができ、また、ホルダ部２は、ホルダ部２を形成したとき伸縮率が第１伸縮率となるような一の合成樹脂７で構成することができる。
【００６５】
しかも、本実施形態では、第１伸縮率で伸縮するホルダ部２は、射出成型の際にゲート位置を調整して、光軸に沿ってグラスファイバ７０が配置される割合と、光軸に対して垂直にグラスファイバ７０が配置される割合とを調整するだけの簡単な方法で形成することができる。
【００６６】
また、本実施形態の光学装置１は、バレル３がレンズモジュール部５の伸縮率以上の第２伸縮率を有する合成樹脂７で構成され、また、キャップ４もレンズモジュール部５の伸縮率以上の第３伸縮率を有する合成樹脂７で構成されているので、レンズモジュール部５の伸縮が妨げられ、レンズ３０ａ、３０ｂ、４０ａ、４０ｂが破損することもない。
【００６７】
尚、第２伸縮率と第３伸縮率は同じでもよい。
［他の実施形態］
以上、実施形態について説明したが、特許請求の範囲に記載された発明は、上記実施形態に限定されることなく、種々の形態を採り得ることは言うまでもない。
【００６８】
（１）上記実施形態では、ホルダ部２に、バレル３等を介してレンズモジュール部５を支持する構造の光学装置１について説明したが、図５（ａ）に示すように、光学装置１は、イメージャ９１上にスペーサ６を介してレンズモジュール部５を取り付けただけの簡易な構造としてもよい。
【００６９】
この場合、スペーサ６が上記実施形態のホルダ部２に相当する。
この図５に記載の光学装置１は、イメージャ９１上に環状のスペーサ６が接着剤αを用いて接合され、さらにスペーサ６の前方側にレンズモジュール部５が接着剤αを用いて接合されている。
【００７０】
レンズモジュール部５は、２枚のレンズ５０ａ、５０ｂと、レンズ５０ａとレンズ５０ｂとの間に配置された遮光材５１ａと、レンズ５０ｂの前方側に配置された遮光材５１ｂとを備え、レンズ５０ａ、５０ｂは接着剤αで接合されている。
【００７１】
また、遮光材５１ａは、レンズ５０ａ、５０ｂとともに接着剤αで接合され、また遮光材５１ｂはレンズ５０ｂに接着剤αで接合されている。
このレンズモジュール部５は、光学装置１の周囲の温度が高温になると、図５（ｂ）に示すように、レンズ５０ａ、５０ｂが膨張するとともに、接着剤αが膨張してレンズ５０ａ、５０ｂ間の間隔が広げられる。
【００７２】
すると、レンズモジュール部５の焦点位置がイメージャ９１の後方側に結ばれることとなるが、上記実施形態のホルダ部２と同様にスペーサ６が伸縮して、レンズモジュール部５を前方側に移動させることで、焦点位置がイメージャ９１上に結ばれるように補償している。
【００７３】
低温になったときは、上記実施形態と同様に、イメージャ９１の前方側に結ばれることとなる焦点位置を、スペーサ６が収縮してイメージャ９１上に結ばれるように補償している。
【００７４】
効果は、上記実施形態と同様である。
尚、スペーサ６は、イメージャ９１上ではなく、基板９０上に接着してもよいことはもちろんである。
【００７５】
（２）上記実施形態では、ホルダ部２を構成する温度補償材料として、グラスファイバ７０が混入された合成樹脂７を用いたが、混入される繊維状物としてはグラスファイバ７０に限られず、また、グラスファイバ７０が混入されていない合成樹脂の単体や、その他材料を用いてもよい。
【００７６】
（３）上記実施形態では、レンズモジュール部５として４枚のレンズ(３０ａ，３０ｂ，４０ａ，４０ｂ)を備えるものを記載したが、これに限られる物ではなく、二枚以上のレンズを組み合わせたものであればどのようなものでもよい。
【００７７】
（４）上記実施形態では、イメージャ９１としてＣＣＤを用いた例について説明したが、これに限られる物ではなく、ＣＭＯＳ型の撮像素子などどのような物を用いてもよい。
（５）上記実施形態では、レンズ３０ａ，３０ｂ，４０ａ，４０ｂの材料や、付属物等については特に説明していないが、これらは、ガラスまたは樹脂で構成されていてもよいし、反射処理がレンズ表面に積層されていてもよい。また光学ローパスフィルタ処理が施されていても良い。
【００７８】
（６）上記実施形態では、スペーサ６ａ〜６ｃの材料について特に言及していないが、金属や合成樹脂その他、スペーサとしても用いることができる材料であれば、どのような材料を用いてもよい。
【符号の説明】
【００７９】
１… 光学装置  ２… ホルダ部  ３… バレル  ４… キャップ
５… レンズモジュール部  ６… スペーサ  ６ａ〜６ｃ… スペーサ  ７… 合成樹脂
２０… 大径筒部  ２１… 小径筒部  ３０ａ、３０ｂ… レンズ  ３９… 固定環
４０ａ、４０ｂ… レンズ  ４１… 爪部  ４２… 穴部  ４５… 収納空間
５０ａ、５０ｂ… レンズ  ５１ａ、５１ｂ… 遮光材  ７０… グラスファイバ
９０… 基板  ９１… イメージャ
【図１】
2015022127.tif 000003
【図２】
2015022127.tif 000004
【図３】
2015022127.tif 000005
【図４】
2015022127.tif 000006
【図５】
2015022127.tif 000007